(57)【特許請求の範囲】
【請求項１】
容器（１）の口部（２）外周に設けられた凹条（３）；前記口部（２）に装着された、前記口部（２）外周に圧接する筒部（４）及び前記容器（１）の内容品の通行を遮断する遮断壁（５）を有する合成樹脂製の蓋体（６）；前記筒部（４）内側に設けられた、前記凹条（３）に圧接係合する凸条（７）；該凸条（７）の一部において、該凸条（７）に形成された水平下面（８）；前記筒部（４）一部において、前記水平下面（８）に接し、かつ前記凹条（３）との間に間隙（９）を持たせて設けられた薄肉部（１０）であって、その上部（１８）より下部（１９）が肉厚に形成され、かつその下部（１９）が、凹条（３）の下方に設けられた環状の突起（２０）に圧接させられている薄肉部（１０）；該薄肉部（１０）において、上部（１１）が前記水平下面（８）とほぼ同一面（１２）を構成して形成された栓抜き(２２)の係止部(２４)が挿入されるスリット（１３）；から成ることを特徴とする容器の開閉装置。
【請求項２】
薄肉部（１０）はその外周面（１４）が筒部（４）の外周（１５）と同一面を形成して構成されている請求項１記載の容器の開閉装置。
【請求項３】
スリット（１３）は該スリット（１３）から筒部（４）の下端（１７）に至る弱化ライン（１６）を有している請求項１、又は２記載の容器の開閉装置。
【請求項４】
水平下面（８）は半径方向内側において上向きの凹所（２１）を有している請求項１、２又は３記載の容器の開閉装置。
【請求項５】
スリット（１３）はその巾（２２）が栓抜き（２３）の係止部（２４）の厚み（２５）より小さく形成されている請求項１、２、３又は４記載の容器の開閉装置。
【請求項６】
スリット（１３）はその長さ（２６）が、栓抜き（２３）の係止部（２４）の長さ（２７）より小さく形成されている請求項１、２、３、４又は５記載の容器の開閉装置。
【発明の詳細な説明】
【０００１】
【発明の属する技術分野】
この発明は各種液体商品又は粉体商品等を収容する容器の口部に設けて用いる容器の開閉装置に関するものである。
【０００２】
【従来の技術】
従来周知のため図示は省略するが、容器、例えば瓶等においては通常合成樹脂製の蓋体が装着されており、そして一般に上記装着を容易にするために打栓形式にする場合が多く、その場合打栓によって上記瓶の口部外周に形成した凹条に、蓋体の筒部内周に形成した凸条を圧接係合させるようになっている。そして上記蓋体が中蓋である場合にはその瓶内の液体商品等の通行を遮断する遮断壁に通常形成されている裂溝に沿って裂切り、瓶内容品を注出して用いる。
【０００３】
【発明が解決しようとする課題】
そして上記瓶内の内容品を消費し、瓶又は蓋を資源として回収する場合がある。ところがこの場合上記蓋と瓶とは前記のように凹条及び凸条により圧接係止されており、かつ又栓抜き等を係止する部分もないため、容易に外し取ることができず、従って容易に容器又は蓋を資源として回収することができない。
【０００４】
この発明は上記のような問題を解決するためになされたもので、その目的は前記従来のように容器口部の外周の凹条に、蓋の筒部の凸条が圧接係合する、装着が打栓形式の容器の開閉装置において、容器又は蓋を資源として回収する場合に、栓抜きを用いて容易に取り外しできる、容器の開閉装置を提供することである。
又他の目的は蓋を不正に開放するのを防止できる容器の開閉装置を提供することである。
【０００５】
【課題を解決するための手段】
上記の目的を達成するこの発明の容器の開閉装置について述べるとそれは、容器１の口部２外周に設けられた凹条３；前記口部２に装着された、前記口部２外周に圧接する筒部４及び前記容器１の内容品の通行を遮断する遮断壁５を有する合成樹脂製の蓋体６；前記筒部４内側に設けられた、前記凹条３に圧接係合する凸条７；該凸条７の一部において、該凸条７に形成された水平下面８；前記筒部４一部において、前記水平下面８に接し、かつ前記凹条３との間に間隙９を持たせて設けられた薄肉部１０であって、その上部１８より下部１が肉厚に形成され、かつその下部１９が、凹条３の下方に設けられた環状の突起２０に圧接させられている薄肉部１０；該薄肉部１０において、上部１１が前記水平下面８とほぼ同一面１２を構成して形成された栓抜き２２の係止部２４が挿入されるスリット１３；から成ることを特徴とする容器の開閉装置である。
又、薄肉部１０はその外周面１４が筒部４の外周１５と同一面を形成して構成されている前記容器の開閉装置である。
又、薄肉部１０はその上部１８より下部１９が肉厚に形成され、かつその下部１９が、凹条３の下方に設けられた環状の突起２０に圧接させられている前記容器の開閉装置である。
又、水平下面８は半径方向内側において上向きの凹所２１を有している前記容器の開閉装置である。
又、スリット１３はその巾２２が栓抜き２３の係止部２４の厚み２５より小さく形成されている前記容器の開閉装置である。
又、スリット１３はその長さ２６が、栓抜き２３の係止部２４の長さ２７より小さく形成されている前記容器の開閉装置である。
【０００６】
【発明の実施の形態】
図１において、１は容器であり、一例として瓶が示されている。なおこの瓶はガラス製でも、合成樹脂製でも差支えはない。
３はその口部２の外側に形成された凹条である。６は合成樹脂、その一例としてポリエチレン製の蓋体であり、前記口部２外周に圧接する筒部４と、容器１の内容商品（図示省略）の流出を遮断する遮断壁５を有している。
なおこの蓋体６は一例として後述するように外蓋３０を有する中蓋２８として形成されている。そして前記筒部４の内側には前記凹条３に圧接係合する凸条７が形成されている。この凸条７は蓋体６打栓の際に凹条３に圧接係合するようになっている。
【０００７】
そして図１に示すようにこの凸条７の一部において、該凸条７の下面として、水平下面８が形成されている。又この水平下面８からは、その下方に向けて、薄肉部１０が設けられてあり、該薄肉部１０の下端部１１は前記筒部４の下端１７と同一レベルに形成されている。図１及び図２において、１３はスリットであり、前記薄肉部１０に形成され、その上部１１が、前記水平下面８とほぼ同一面１２を構成して形成されている。そして又前記薄肉部１０は前記凹条３との間に間隙９を持たしめて、設けられている。
なお前記薄肉部１０は一例としてその外周部１４が前記筒部４の外周面１５と同一の面を形成して設けられている。又、前記薄肉部１０は他の例として図９に示すように筒部４の厚さ方向の途中から設けられていても差支えはない。
そしてスリット１３及び水平下面８は共に円弧状に形成され、栓抜は後記のようにその係止部２４は通常直線状に形成されているため、前記係止部２４はスリット１３挿入の際、容易に両者１３、８の奥深く挿入することができ、蓋体６の取り外しを容易にすることができる。
【０００８】
次に前記スリット１３はその両端部から前記筒部４の下端１７に至る弱化ライン１６を有している。この弱化ライン１６は裂切れ易い薄肉部、又はミシン目、又は連続した小孔、又はそれらの組合わせ等であり、裂切れ易く形成されたラインである。これにより前記スリット１３に栓抜きをかけて開放した際に破損することにより、不正な開放が露見するようになっていて、不正な開放を防止している。次に前記薄肉部１０は一例としてその上部１８よりも下部１９が肉厚に形成され、その下部１９は前記凹条３の下方の環状の突起２０に圧接させられている。これは前記筒部４の下端１７も同様に圧接させられている。これによりドライバー等を前記下部１９、前記下端１７等から差し入れて不正に開放するのを防止できるようになっている。
又図５に示すように、前記水平下面８の、半径方向内側には、一例として上向きの凹所２１が形成されている。この凹所２１は栓抜きをこの凹所２１に掛けることにより、栓抜きを確実に蓋体６に掛けることができ、栓抜きが滑って、開放動作の不確実になるのを防止している。
【０００９】
次に、図４に示すように、前記スリット１３は、一例としてその巾２２が、栓抜き２３の、係止部２４の厚み２５より小さく形成された。これにより栓抜き２３を用いて不正に開放する場合、前記スリット１３は破損し、不正な開放は露見するから、これにより不正な開放を防止している。
又同図に示すように、前記スリット１３はその長さ２６が一例として栓抜き２３の、係止部２４の長さ２７より小さく形成されている。これによりスリット１３に不正に前記係止部２４を挿入した際、スリット１３は長さ方向において裂切れることによって不正な開放が露見するため、不正な開放を防止している。
これは特にスリット１３が弧状に形成され、前記係止部２４は通常直線状のため、一層容易に、前記薄肉部の裂切れを起させることができる。
【００１０】
次に前記蓋体６は一例として図示のように中蓋２８として形成され、この中蓋２８に、ヒンジ２９を介して外蓋３０が一体に形成されている。但しこの発明においては、蓋体６は中蓋２８であっても差支えなく、これらを含むものである。又外蓋３０もヒンジ２９を介することなく、中蓋２８に螺合又は係合等によって装着されてもよいことは勿論である。
図１において、３１は内筒、３２は無端状の裂溝、３３は裂取部材、３４は注筒、３５はひさし、図２において３６は凹部を示す。又、図３において３７は外蓋３０との掛止部を示す。３８はこうして構成されたキャップである。
この実施例のキャップ３８を消費者等が開放する場合、外蓋３０を開放し、裂取部材３３を上方に引っ張り、裂溝３２を裂切って、それに通口を形成し、容器１内の図示しない液体商品等を注出して用いる。そして、容器１又はキャップ３８、或いは蓋体６を資源として回収する場合、図８に示すように、前記スリット１３から栓抜き２３の係止部２４を挿入し、前記ほぼ同一面１２に係止させ、かつ先端部３９も掛止させて抜き取り、分離させるのである。
【００１１】
【発明の効果】
この発明は前記のように構成されたことにより、請求項１の発明は筒部４にスリット１３が形成されているため、栓抜き２３の係止部２４を挿入する位置をわかり易くすることができ、スリット１３に差し込まれた栓抜き２３の係止部２４は直ちに凸条７の水平下面８に達しさせることができるから、この水平下面８と前記係止部２４の係止をきわめて容易に、かつ確実にすることができ、これにより容器１と蓋体６の分離を容易に、かつ確実にすることができる。
この発明は、薄肉部１０と凹条３との間隙９を大きくすることができるから、スリット１３に栓抜き２３を挿入して、そのまま水平下面８に達しさせる場合に、前記薄肉部１０の破損を容易にすることができ、不正な開放を防止することができる。
【００１２】
この発明は前記間隙９と相まって栓抜き２３の係止部２４をスリット１３に挿入し、前記水平下面８に向って押し進めると弱化ライン１６が破損することにより、不正な開放を露見させることができ、これにより不正な開放を防止できる。
又この発明は薄肉部１３の下部の剛性を大きく形成し、かつその下部は突起２０に圧接させてあることにより、薄肉部１３の上部は剛性が比較的小さく、かつ前記構成により薄肉部１３と凹条３との間隙は大きく形成することができるから薄肉部１３の、栓抜き２３による破損を起き易く形成でき、これにより蓋体６の不正な開放を防止できる。かつ又栓抜き２３の、係止部２４における水平下面８への、薄肉部１３を破損させながらの進入を容易にすることができる。又この発明は蓋体６を容器１から外す場合に、栓抜き２３の係止部２４を凹所２１に掛けることにより、力を加えられた係止部２４が蓋体６から外れるのを防止する事ができるから、簡単な構造にもかかわらず確実にかつ容易に蓋体６を容器１から外すことができる。
【００１３】
この発明はスリット１３に栓抜き２３の係止部２４を挿入した際に、無理な挿入となるからスリット１３は破損する。これにより栓抜き２３を用いて不正に開放しようとする場合の行為は露見する。従ってこれにより不正な開放を防止できる。
【００１４】
この発明は同様に、スリット１３に栓抜き２３の係止部２４を挿入すると無理な挿入となるためスリット１３は破損し、これによって栓抜き２３を用いて不正に開放しようとする場合は露見する。従ってこれにより不正な開放を防止できる。
【図面の簡単な説明】
【図１】この発明の実施例を示し、容器の開閉装置の断面図である。
【図２】図１に示す装置の、蓋体のみの正面図である。
【図３】この発明の他の実施例を示し、容器の開閉装置の部分の断面図である。
【図４】この発明の更に他の実施例を示し、図２に相当する図である。
【図５】この発明の更に他の実施例を示し、図３に相当する図である。
【図６】図５に示す装置の、蓋体のみの正面図である。
【図７】従来から用いられている、通常の栓抜きの断面図である。
【図８】この発明の作用を説明する説明図である。
【図９】この発明の更に他の実施例を示し、容器の開閉装置の一部分を示す図である。
【符号の説明】
１        容器
２        口部
３        凹条
４        筒部
５        遮断壁
６        蓋体
７        凸条
８        水平下面
９        間隙
１０        薄肉部
１１        上部
１２        ほぼ同一面
１３        スリット
１４        外周面
１５        外周
１６        弱化ライン
１７        下端
１８        上部
１９        下部
２０        突起
２１        凹所
２２        巾
２３        栓抜き
２４        係止部
２５        厚み
２６        長さ
２７        係止部の長さ
【図１】
0003867175.tif 000002
【図２】
0003867175.tif 000003
【図３】
0003867175.tif 000004
【図４】
0003867175.tif 000005
【図５】
0003867175.tif 000006
【図６】
0003867175.tif 000007
【図７】
0003867175.tif 000008
【図８】
0003867175.tif 000009
【図９】
0003867175.tif 000010